(57)【要約】【課題】小型で高い送風性能を有する電動送風機およびそれを用いた電気掃除機を提供する。【解決手段】斜流型のブレード２ａを有するインペラ２と、インペラ２が固定された回転軸５を駆動する電動機６と、インペラ２で発生した気流を電動機６のモータケース６ａ外周上に導く複数の第１の案内翼７ａと、モータケース６ａ外周の円周方向に配列されると共にモータケース６ａと一体的に成形された複数の第２の案内翼７ｂと、複数の第１の案内翼７ａおよび複数の第２の案内翼７ｂを覆ってモータケース６ａ外周にインペラ２から電動機６外部へ繋がる複数の風路を構成するエアガイド外郭９ａとを備えている。【選択図】図１
2010281232.tif 000002
【特許請求の範囲】
【請求項１】
斜流型ブレードを有するインペラと、前記インペラが固定された回転軸を駆動する電動機と、前記インペラで発生した気流を前記電動機のモータケース外周上に導く複数の第１の案内翼と、前記モータケース外周の円周方向に配列されると共に前記モータケースと一体的に成形された複数の第２の案内翼と、前記複数の第１の案内翼および前記複数の第２の案内翼を覆って前記モータケース外周に前記インペラから前記電動機外部へ繋がる複数の風路を構成するエアガイド外郭とを備えた電動送風機。
【請求項２】
第２の案内翼は、上流から下流にかけて連続的に厚さを薄くしている請求項１に記載の電動送風機。
【請求項３】
エアガイド外郭は、厚さを上流から下流にかけて連続的に薄くしている請求項１または請求項２に記載の電動送風機。
【請求項４】
エアガイド外郭は、外径を上流から下流にかけて連続的に大きくしている請求項１〜３のいずれか１項に記載の電動送風機。
【請求項５】
複数の第２の案内翼は、モータケースの外周に螺旋状に配置されている請求項１〜４のいずれか１項に記載の電動送風機。
【請求項６】
エアガイドは、電動機との接触面に接触抵抗低減手段を設けている請求項１〜５のいずれか１項に記載の電動送風機。
【請求項７】
請求項１〜６のいずれか１項に記載の電動送風機を搭載した電気掃除機。
【発明の詳細な説明】
【技術分野】
【０００１】
本発明は、小型で高い送風性能を有し電動機を効率よく冷却することが可能な電動送風機およびそれを用いた電気掃除機に関するものである。
【背景技術】
【０００２】
従来、この種の電動送風機は家庭用の電気掃除機に多く利用されている（例えば、特許文献１参照）。電気掃除機の入力電力は限られており、より強い吸引力を得るためには電動送風機の送風性能を向上する必要がある。同時に、掃除のしやすさの視点から掃除機本体の小回りが良いことが望まれており、電動送風機を小型化する必要がある。
【０００３】
図１０は、特許文献１に記載された従来の電動送風機の断面構成を示す図である。斜流型ブレード２７を有したインペラ２８と、インペラ２８の下流側に配置されたエアガイド２９と、回転軸３１の軸端にインペラ２８を固着した電動機３０と、回転軸３１の軸端に設けられたハブ３２とを備えた電動送風機３３が開示されている。
【先行技術文献】
【特許文献】
【０００４】
【特許文献１】特開２００５−３０７９８５号公報
【発明の概要】
【発明が解決しようとする課題】
【０００５】
しかしながら、前記従来の構成では、エアガイド２９が単一部品で構成されており、樹脂成形時に金型で抜ける静翼の形状や長さが制約され、エアガイド２９の静翼で形成する風路長を十分に確保することが困難であった。
【０００６】
しかし、インペラ２８で発生させた気流の動圧を静圧に変換するためには、短い風路長で風路断面積を急拡大させるしかない。しかし、その様にすると、圧損が大きくなり、電動送風機３３の送風性能が低下してしまうという課題があった。
【０００７】
本発明は、前記従来の課題を解決するもので、小型で高い送風性能を有し電動機を効率よく冷却することが可能な電動送風機およびそれを用いた電気掃除機を提供することを目的とする。
【課題を解決するための手段】
【０００８】
前記従来の課題を解決するために、本発明の電動送風機は、斜流型ブレードを有するインペラと、前記インペラが固定された回転軸を駆動する電動機と、前記インペラで発生した気流を前記電動機のモータケース外周上に導く複数の第１の案内翼と、前記モータケース外周の円周方向に配列されると共に前記モータケースと一体的に成形された複数の第２の案内翼と、前記複数の第１の案内翼および前記複数の第２の案内翼を覆って前記モータケース外周に前記インペラから前記電動機外部へ繋がる複数の風路を構成するエアガイド外郭とを備えている。
【０００９】
これによって、インペラで発生した気流はエアガイドの風路にスムーズに導かれると共に、第１の案内翼と第２の案内翼を繋ぎ合わせてエアガイドの風路長を十分に確保することができ、気流の動圧を静圧に十分に変換することができる。また、モータケースと一体成形された第２の案内翼で電動機の熱を放熱できるため、小型で高い送風性能を有し、電動機を効率よく冷却することが可能な電動送風機を実現できる。
【００１０】
また、本発明の電気掃除機は、小型で高い送風性能を有する電動送風機を搭載しているので、強い吸引力を有しゴミ取れ性が良好であり、電動送風機が軽量なので、小回りの利く使い勝手がよい電気掃除機となる。
【発明の効果】
【００１１】
本発明の電動送風機は、第１の案内翼と第２の案内翼を繋ぎ合わせてエアガイドの風路長を十分に確保して、気流の動圧を静圧に十分に変換することができ、小型で高い送風性能を得ることができる。また、モータケースと一体成形された第２の案内翼で電動機の熱を放熱できるため、小型で高い送風性能を有し電動機を効率よく冷却することが可能な電動送風機を実現できる。
【００１２】
また、このような電動送風機を用いた電気掃除機は、強い吸引力を有し、ゴミ取れ性が良好であり、電動送風機が軽量なので、小回りの利く使い勝手がよい。
【図面の簡単な説明】
【００１３】
【図１】本発明の第１の実施の形態における電動送風機の一部断面図
【図２】同電動送風機の一部断面斜視図
【図３】同電動送風機のインペラの一部断面斜視図
【図４】同電動送風機の子午面形状を表す模式図
【図５】同電動送風機の分解斜視図
【図６】同電動送風機を用いた電気掃除機の構成を表す断面図
【図７】本発明の第２の実施の形態における電動送風機の一部断面図
【図８】同電動送風機の一部断面斜視図
【図９】同電動送風機の分解斜視図
【図１０】従来の電動送風機の断面図
【発明を実施するための形態】
【００１４】
第１の発明は、斜流型ブレードを有するインペラと、前記インペラが固定された回転軸を駆動する電動機と、前記インペラで発生した気流を前記電動機のモータケース外周上に導く複数の第１の案内翼と、前記モータケース外周の円周方向に配列されると共に前記モータケースと一体的に成形された複数の第２の案内翼と、前記複数の第１の案内翼および前記複数の第２の案内翼を覆って前記モータケース外周に前記インペラから前記電動機外部へ繋がる複数の風路を構成するエアガイド外郭とを備えた電動送風機としたものである。
【００１５】
これによって、インペラで発生した気流はエアガイドの風路にスムーズに導かれると共に、第１の案内翼と第２の案内翼を繋ぎ合わせてエアガイドの風路長を十分に確保することができ、気流の動圧を静圧に十分に変換することができる。また、モータケースと一体成形された第２の案内翼で電動機の熱を放熱できるため、小型で高い送風性能を有し電動機を効率よく冷却することが可能な電動送風機を実現できる。
【００１６】
第２の発明は、特に、第１の発明の第２の案内翼が、上流から下流にかけて連続的に厚さを薄くしているので、エアガイド外形を変化させることなく、エアガイドの風路断面積を上流から下流にかけて連続的に大きくすることができるようになり、小型で静圧変換効率の高いエアガイドを構成することができる。
【００１７】
第３の発明は、特に、第１または第２の発明のエアガイド外郭が、厚さを上流から下流にかけて連続的に薄くしているので、第２の案内翼の厚みを変化させることなく、エアガイドの風路断面積を上流から下流にかけて連続的に大きくすることができるようになり、
小型で静圧変換効率の高いディフューザを容易に構成でき、高い送風性能を有する電動送風機にすることができる。
【００１８】
第４の発明は、特に、第１〜３のいずれか１つの発明のエアガイド外郭が、外径を上流から下流にかけて連続的に大きくしているので、エアガイドの子午面形状において風路を連続的に大きくすることができ、エアガイドの風路断面積をエアガイドの外径に応じて調整することが可能であり、容易に構成でき、高い送風性能を有する電動送風機にすることができる。
【００１９】
第５の発明は、特に、第１〜４のいずれか１つの発明の複数の第２の案内翼が、モータケースの外周に螺旋状に配置されているので、限られたエアガイドの外形長においてもディフューザとして使用できる風路を長くすることができると共に、放熱面積を拡げて電動機の冷却性能を向上させ、さらに、風路を空気伝播する騒音に対する遮音効果を向上することができるため、低騒音化を図りつつ、高い送風性能を有する電動送風機にすることができる。
【００２０】
第６の発明は、特に、第１〜５のいずれか１つの発明において、エアガイドと電動機との接触面に接触抵抗低減手段を設けたことにより、電動機とエアガイド間での熱伝導性が向上し、電動機を駆動させた際に生じる熱は電動機外周に配したエアガイドに伝導するようになり、放熱面積を拡げてエアガイド風路を流れる気流によって効率的に電動機を冷却することができる。
【００２１】
第７の発明は、特に、第１〜６のいずれか１つの電動送風機を搭載した電気掃除機とすることにより、強い吸引力を有しゴミ取れ性がよく、本体サイズが小さいので小回りの利く使い勝手がよい電気掃除機となる。
【００２２】
以下、本発明の実施の形態について、図面を参照しながら説明する。なお、この実施の形態によって本発明が限定されるものではない。
【００２３】
（実施の形態１）
図１〜図５は、本発明の実施の形態１における電動送風機の構成を示すものであり、図１は同電動送風機の一部断面図であり、図２は同電動送風機の一部断面斜視図であり、図３は同電動送風機に用いるインペラの一部断面斜視図であり、図４は同電動送風機の子午面形状を表す模式図であり、図５は同電動送風機のエアガイドの分解斜視図であり、図６は同電動送風機を用いた電気掃除機の構成を示す断面図である。
【００２４】
図１〜図３に示すように、電動送風機１ａは、３次元曲面で形成された６枚の斜流型ブレード２ａを有するインペラ２と、インペラ２を固定した回転軸５を駆動する電動機６と、内蔵した案内翼７ａ、７ｂで風路を構成しインペラ２で発生した気流Ａを導いて電動機６外周に沿って流す案内翼７ａ、７ｂとを備えており、インペラ２およびエアガイド９前部はファンケース１３で覆われ、インペラ２先端とファンケース１３はＰＴＦＥ樹脂のリング１５でシールされている。
【００２５】
図１，図２に示すように、電動機６は、回転子３と、回転子３の外周に配置された固定子４とを円筒状のモータケース６ａ内に収納している。回転子３に連結された回転軸５の一部は、そのモータケース６ａから突出しており、その部分にインペラ２が固定されている。
【００２６】
図４に示すように、エアガイド９は、子午面におけるインペラ２の出口部１０を回転軸５まわりに３６０度回転させてなる面１１と略平行な入口面１２を有しており、その入口
面はインペラ２の出口部１０の面と平行になっている。
【００２７】
図１，図２及び図５に示すように、エアガイド９は、円筒状のモータケース６ａの円周面に接し外周に沿って湾曲しており、全体の構成が円筒状になっている。そして、エアガイド９の内部には、エアガイド外郭９ａとモータケース６ａとの間の空間を複数の案内翼７ａ及び７ｂで仕切って複数の風路８ａ，８ｂを構成し、その風路８ａ，８ｂをディフューザとして機能させている。
【００２８】
第１の案内翼７ｂおよびモータケース６ａは、熱伝導性樹脂で一体的に成形されており、複数の案内翼７ｂは長手方向が軸方向になるように、モータケース６ａの円周方向に配列された構成になっている。
【００２９】
エアガイド９前方に在る第１の案内翼７ａは、第２の案内翼７ｂとインペラ２との間に設けられ、複数の案内翼７ｂの配列に対応して配列され、入口ガイド１４とエアガイド外郭９ａとの間の空間を仕切って風路８ａを構成している。そして、エアガイド９で複数の案内翼７ａおよび複数の案内翼７ｂを覆うことによって、エアガイド９の入口面１２から外部へと通じる複数の風路８ａ，８ｂを滑らかに構成している。第１の案内翼７ａは、インペラ２の外周に放射状に配置され、インペラ２で発生した気流を電動機６の外周へと導くために用いられる。エアガイド９とモータケース６ａとの接触面１６には熱伝導性グリスを塗布しており、密着度を良好にさせて熱伝導性の向上を図っている。
【００３０】
後方に在る第２の案内翼７ｂはモータケース６ａの外周に螺旋状に配置され、エアガイド９の風路長を長くするために用いられる。また、案内翼７ｂは、風路８ｂの上流から下流にかけて厚みが連続的に薄くなるように構成されており、エアガイドの風路断面積を連続的に大きくすることによって、静圧変換効率を高めている。
【００３１】
図６において、電気掃除機１６ａは、本体吸気口１７に連通した集塵室１８と本体排気口１９を備えた送風室２０とを有する掃除機本体２１と、集塵室１８に本体吸気口１７と気密に装着された集塵袋２２と、送風室２０に設置された電動送風機１ａと、電動送風機１ａを覆う難燃樹脂製の防音カバー２３と、送風室２０の上下に配置された吸音材２４とから構成されている。なお、図示していないが、本体吸気口１７には、ホース、延長管が順次接続され、延長管の先端には床面上の塵埃を吸引するノズルが取りつけられる。
【００３２】
以上のように構成された電動送風機およびそれを用いた電気掃除機１６ａについて、以下その動作、作用を説明する。
【００３３】
まず、電動送風機の動作について説明する。図１において、電動機６に入力電力が供給されると、固定子４と回転子３に磁界が発生し、電磁力により回転子３が回転し、回転軸５に固定されたインペラ２が回転する。インペラ２の回転で生じる遠心力により、インペラ２内の空気がインペラ２内の外周へ且つ後方へと押しやられ、インペラ２内が負圧になり、前方からインペラ２内へ流れ込む気流Ａが発生する。
【００３４】
気流Ａはインペラ２の入口から軸方向に流入し、６枚の斜流型ブレード２ａに沿って流れた後、軸方向と径方向との中間の角度でインペラ２から流出する。インペラ２から流出した気流は、エアガイド９の入口面１２ａに流入し、案内翼７ａで形成された風路８ａを流れて電動機６外周に導かれた後、連通したエアガイド９後部の風路８ｂを通過して電動送風機１ａ外部へと流出する。
【００３５】
エアガイド９は、子午面におけるインペラ２の出口部１０を回転軸５まわりに３６０度回転させてなる面１１と略平行な入口面１２を有しており、インペラ２とエアガイド９と
の間の空気漏れに起因する循環流れを低減し、インペラ２で発生した気流をスムーズにエアガイド９に流入することができる。
【００３６】
また、モータケース６ａの外周に一体的に形成された第２の案内翼７ｂと、第２の案内翼７ｂ外周側を覆うエアガイド外郭９ａとで形成された風路は、第２の案内翼７ｂの厚みが上流から下流にかけて連続的に薄くなっているため、風路断面積は下流へ行くほど連続的に大きくなり、エアガイド９に流入した気流は流速を徐々に落としながら、気流の動圧が静圧へと変換される。
【００３７】
モータケース６ａと一体に構成された第２の案内翼７ｂと、第１の案内翼７ａとを繋ぎ合わせて長い風路を構成することで、気流の流速を十分に小さくすることができる。また、案内翼７ａと案内翼７ｂとに分割して構成することで、樹脂成形後に金型から抜け易くし、金型で製造可能な曲面形状の曲率制約を少なくして、静圧回復の高いディフューザを安易に樹脂成形することができる。
【００３８】
また、電動機６では、内蔵されたコイルのジュール熱や、回転軸５の粘性摩擦に起因して発熱が生じる。そこで、後部の案内翼７ｂとモータケース６ａとを一体構成とし、電動機６内の熱を案内翼７ｂに伝わり易くしている。そのため、第２の案内翼７ｂで構成された風路８ｂを通過する気流によって、電動機６の熱が電動機６外部へ輸送され、電動機６が効率よく冷却される。即ち、モータケース６ａと一体構成された案内翼７ｂが放熱フィンとして効率よく機能する。
【００３９】
エアガイド９の材料には、熱伝導性の高い材質を選定するのが好ましく、熱伝導性樹脂の他にも、熱伝導に優れたアルミニウム、銅などの金属材料を用いるのもよく、電動機６の熱をエアガイド９へ伝えて放熱面積を大きくし、電動機６を冷却する効果を高めることができる。
【００４０】
熱伝導性樹脂は、樹脂中に熱伝導性の高い金属や炭素の粉末や繊維などの充填剤（フィラー）を含有させることで、熱伝導性を向上させたものであり、ポリフェニレンサンファイド樹脂（ＰＰＳ）、ナイロンおよび液晶ポリマー（ＬＣＰ）が知られている。充填剤の配合比率を大きくすると、溶融時の粘度が大きくなって成形性が低下するので、配合比率については実験的に最適値を求めて実施すればよい。
【００４１】
さらに、エアガイド９と電動機６との接触面に熱伝導性グリスを塗布することで、接触面での熱的な接触抵抗が低減されて、電動機６からエアガイド９への熱伝導性が向上する。つまり、電動機６外周に形成するエアガイド９を放熱体として有効活用することで、電動機６の冷却効果を向上させることができる。
【００４２】
インペラ２で発生させた気流がエアガイド９に流入する際には、気流は大きな流速と乱れを有しているため、エアガイド９の熱を奪う効果が高く、モータケース６ａと一体の案内翼７ｂだけでなく、エアガイド９全体を放熱体として活用することで、電動機６の冷却効果を向上させることができる。
【００４３】
次に、電気掃除機の動作について図６を用いて説明する。図６において、電動送風機１ａのインペラ２が回転すると、集塵室１８が負圧状態になり、ノズル（図示せず）から吸引された塵埃を含む気流が本体吸気口１７を通過して集塵室１８へ流入する。集塵袋２２で塵埃を濾過分離した清潔な気流は、電動送風機１ａのインペラ２へ流入し、エアガイド９を通過した後、防音カバー２３の排気口から流出して掃除機本体２１外部へと放出される。
【００４４】
電気掃除機１６ａは、小型で送風性能の高い電動送風機１ａを搭載しているため、強い吸引力を有し、ゴミ取れ性がよく、電動送風機１ａの本体サイズが小さくて、重量が軽いので、小回りが利いて、使い勝手がよい。また、掃除機本体２１内に吸音材２４を配置可能な空間の拡大を図り、掃除機本体２１内に設ける吸音材２４の設置面積を大きくすることで、運転音の小さな電気掃除機１６ａにすることも可能である。
【００４５】
以上のように、本実施の形態においては、エアガイド９の案内翼７ａとモータケース６ａと一体化された案内翼７ｂでディフューザの風路を形成し、インペラ２の出口部１０とエアガイド９の入口面１２ａを略平行にすることで、インペラ２で発生した気流をエアガイド９の案内翼７ａで形成された風路にスムーズに導くことができる。第２の案内翼７ｂをモータケース６ａ外周に螺旋状に構成することで、風路長を十分に確保し、静圧回復の高いエアガイド９にすることができる。また、モータケース６ａと一体化された案内翼７ｂでディフューザの風路を形成し、エアガイド９を電動機６の放熱体として使用することで、電動機６の冷却を効率的に行うことができる。
【００４６】
なお、本実施の形態では、エアガイド９の案内翼７ａの厚みを風路８ｂの上流から下流にかけて薄くした事例で説明したが、案内翼の厚みを一定にしたままで、エアガイド外郭の厚みを風路の上流から下流にかけて薄くして実施しても良く、同様の効果を得ることができる。
【００４７】
また、上述した実施の形態では、エアガイド外郭９ａと、第１の案内翼７ａと、入口ガイド１４とを熱伝導樹脂で一体成形した事例で説明したが、これに限るものではなく、以下に説明する変形例のような形態でも構わない。
【００４８】
（変形例１）
第１の実施の形態の変形例１に係る電動送風機は、基本的な構成は上述した第１の実施の形態と同様であるが、第１の案内翼７ａを一体成形する部品が第１の実施の形態と異なる。入口ガイド１４及び第１の案内翼７ａを熱伝導樹脂で一体的に成形し、第１の案内翼７ａとエアガイド外郭９ａを分割して構成したものである。
【００４９】
具体的には、入口ガイド１４及び第１の案内翼７ａを熱伝導樹脂で一体的に成形した第１の部品と、モータケース６ａ及び第２の案内翼７ｂを熱伝導樹脂で一体的に成形した第１の部品と、を予め準備した後、回転軸５に連結した回転子３および固定子４をモータケース６ａ内に内装し、第１の案内翼７ａを一体成形した入口ガイド１４とモータケース６ａの位置合わせを行う。
【００５０】
この時、第１の案内翼７ａと第２の案内翼７ｂの位置合わせを同時に行うので、案内翼７ａ，７ｂ同士の位置合わせと、入口ガイド１４とモータケース６ａの位置合わせとが容易に行われる。その後、入口ガイド１４から突出した回転軸５の軸先にインペラ２を装着して、第１の案内翼７ａ及び第２の案内翼７ｂの外周にエアガイド外郭９ａを装着した後、インペラ２及びエアガイド９前部をファンケース１３で覆って、電動送風機１ａの組み立てを完成する。
【００５１】
変形例１は、入口ガイド１４と第１の案内翼７ａを一体成形した部品を用いて電動送風機１ａを構成するため、電動送風機１ａを組み立てるときの第１の案内翼７ａと第２の案内翼７ｂの位置合わせや、案内翼７ａ，７ｂ同士の位置合わせが容易であり、複数の風路８ａ，８ｂの位置ずれを起こさずに滑らかに構成することができ、圧損の少なく、送風性能の良好な電動送風機を作製することができる。
【００５２】
（変形例２）
第１の実施の形態の変形例２に係る電動送風機は、基本的な構成は上述した第１の実施の形態と同様であるが、第１の案内翼７ａを一体成形する部品が第１の実施の形態と異なる。エアガイド外郭９ａ及び第１の案内翼７ａを熱伝導樹脂で一体的に成形し、第１の案内翼７ａと入口ガイド１４を分割して構成したものである。
【００５３】
具体的には、エアガイド９ａ及び第１の案内翼７ａを熱伝導樹脂で一体的に成形した第１の部品と、モータケース６ａ及び第２の案内翼７ｂを熱伝導樹脂で一体的に成形した第２の部品と、入口ガイド１４のみを樹脂成形した第３の部品と、を予め準備した後、回転軸５に連結した回転子３および固定子４をモータケース６ａ内に内装し、入口ガイド１４とモータケース６ａの位置合わせを行って、入口ガイド１４をモータケース６ａに固定させる。
【００５４】
その後、第１の案内翼７ａを一体成形したエアガイド外郭９ａとモータケース６ａの位置合わせと、第１の案内翼７ａと第２の案内翼７ｂの位置合わせを同時に行う。第１の案内翼７ａと第２の案内翼７ｂの接合面には位置合わせ用の凹凸を設けているので、案内翼７ａ，７ｂ同士の位置合わせは容易に行われる。その後、入口ガイド１４から突出した回転軸５の軸先にインペラ２を装着し、インペラ２及びエアガイド９前部をファンケース１３で覆って、電動送風機１ａの組み立てを完成する。
【００５５】
変形例２は、エアガイド外郭９ａ及び第１の案内翼７ａを一体成形した第１の部品と、モータケース６ａ及び第２の案内翼７ｂを一体成形した第２の部品と、入口ガイド１４のみを樹脂成形した第３の部品と、の３つの部品に分けたものを組み立ててエアガイド９を構成するので、３つの部品を樹脂成形するときの型抜きが上述した第１の実施の形態に比べて容易である。また、第１の案内翼７ａと第２の案内翼７ｂの接合面には位置合わせ用の凹凸を設けているので、エアガイド９の組み立てが容易であり、複数の風路８ａ，８ｂの位置ずれを起こさずに滑らかに構成することができ、圧損の少なく、送風性能の良好な電動送風機を作製することができる。
【００５６】
（実施の形態２）
図７は、本発明の実施の形態２における電動送風機の構成を示す一部断面図であり、図８は同電動送風機の一部断面斜視図であり、図９は同電動送風機の分解斜視図である。実施の形態１と同一要素については、同一符号を付してその説明を省略する。
【００５７】
図７において、電動送風機１ｂは、モータケース６ａと一体的に成形された第３の案内翼７ｃを有しており、第３の案内翼７ｃはモータケース６ａの外周に螺旋状に構成され、案内翼７ａと接続させることで、エアガイド２６の風路８ｃ、８ｄを滑らかに形成している。第１の案内翼７ａと第３の案内翼７ｃの接続部には嵌合用の凹凸が設けられており、その凹凸を嵌め合わせて接着させている。また、第３の案内翼７ｃを覆うエアガイド２６の外郭２６ａは、風路８ｄの上流から下流にかけて連続的に外径が大きくなるようにしている。
【００５８】
以上のように構成された電動送風機について、以下その動作、作用を説明する。
【００５９】
まず、電動機６が駆動することで、回転軸５に固定されたインペラ２が回転し、遠心力によって矢印に示すようなインペラ２に流入する気流Ａが発生する。インペラ２から流出した気流は、エアガイド２６に流入し案内翼７ｂで形成された風路８ｃを流れて電動機６外周に導かれた後、モータケース６ａと一体化した第３の案内翼７ｃで形成された風路８ｄを通過して電動送風機１ｂ外部へ流出する。
【００６０】
エアガイド２６は、子午面におけるインペラ２の出口部１０を回転軸５まわりに３６０
度回転させてなる面１１と略平行な入口面１２ｂを有し、インペラ２の出口部１０と入口面１２ｂを近接しており、インペラ２とエアガイド外郭２６ａとの間に空気漏れを低減すると共に、スムーズにエアガイド２６に流入することができる。
【００６１】
またエアガイド外郭２６ａは、風路８ｄの上流から下流にかけて連続的に外径が大きくなっているため、風路断面積は上流から下流にかけて連続的に大きくなり、エアガイド２６に流入した気流の流速が徐々に落され、気流の動圧が静圧へと変換される。
【００６２】
モータケース６ａと一体化された第３の案内翼７ｃは、モータケース６ａの外周に螺旋状に構成されているため、限られたエアガイド２６の外形長においても風路８ｄを長くすることができ、ディフューザとしての静圧回復機能を大幅に向上することができる。
【００６３】
また、エアガイド２６の風路を前部と後部とに分割して、後部の風路８ｄをエアガイド外郭２６ａと第３の案内翼７ｃとで形成しているため、第３の案内翼７ｃに対する形状上の制約が少なくなり、射出成形やダイキャストなどの金型を用いた工法でも製造することが可能である。
【００６４】
また、案内翼７ｃ，７ｄと、その案内翼７ｃ，７ｄの外周側を覆うエアガイド外郭２６ａとで形成された風路８ｃ、８ｄでは、空気伝播する騒音に対して螺旋形状の第３の案内翼７ｃが遮音壁の役割を果たすため、掃除機本体２２へ放射される騒音が低減される。結果、電気掃除機１６ａの音源である電動送風機の騒音を小さくすることができるので、電気掃除機１６ａとしての運転音を大幅に小さくすることができる。
【００６５】
以上のように、本実施の形態においては、エアガイド外郭２６ａとモータケース６ａと一体の螺旋形状の第３の案内翼７ｃとでディフューザの風路８ｄを形成しているため、限られた電動機６の外形長においてもディフューザとしての風路８ｄを長くすることができると共に、放熱面積を拡げて電動機６の冷却性能を向上させることができる。さらに、前部の風路８ｃと後部の風路８ｄとに分割して構成することで、低騒音で静圧回復の高いディフューザを金型による樹脂成形で容易に構成でき、高い送風性能を有する電動送風機にすることができる。
【００６６】
なお、上述した各実施の形態１と２の構成は、これに限定されるものではなく、必要に応じて適宜組み合わせて構成することができる。
【産業上の利用可能性】
【００６７】
以上のように、本発明にかかる電動送風機は、斜流型ブレードを有するインペラで発生させた気流を、複数に分割された部品で構成されたエアガイドの風路にスムーズに流すことで、小型で高い送風性能を有するため、家庭用は勿論のこと、業務用の電気掃除機に適用することができる。
【符号の説明】
【００６８】
１ａ、１ｂ  電動送風機
２  インペラ
２ａ  ブレード
５  回転軸
６  電動機
６ａ  モータケース
７ａ、７ｂ  案内翼
８ａ、８ｂ  風路
９  エアガイド
９ａ  エアガイド外郭
１０  出口部
１２ａ  入口面
１３  ファンケース
１４  入口ガイド
１６ａ  電気掃除機
２６  エアガイド
２６ａ  エアガイド外郭
【図１】
2010281232.tif 000003
【図２】
2010281232.tif 000004
【図３】
2010281232.tif 000005
【図４】
2010281232.tif 000006
【図５】
2010281232.tif 000007
【図６】
2010281232.tif 000008
【図７】
2010281232.tif 000009
【図８】
2010281232.tif 000010
【図９】
2010281232.tif 000011
【図１０】
2010281232.tif 000012